(57)【要約】【課題】チップアイスを一定方向に安定して吐出し、かつ、チップアイスがカップ外へと飛び出すことがないアイス供給シュータを提供する。【解決手段】アイス供給シュータ３は、筒状部３ａを平面部３ｂから構成される四角形状とし、平面部３ｂ其々の間にはコーナー３ｃが設けられている。また、筒状部３ａはその途中で屈曲部３ｄ、３ｅにより屈曲され、屈曲部３ｅの下方にはチップアイス貯蔵部１から滑り落ちてくるチップアイス５の落下衝突面３ｆが設けられ、この落下衝突面３ｆも平面部３ｂで構成されている。【選択図】図３
2011123555.tif 000002
【特許請求の範囲】
【請求項１】
チップアイス貯蔵部に接続され、該チップアイス貯蔵部に貯蔵されているチップアイスを筒状部を滑り落として容器に供給するアイス供給シュータであって、
前記筒状部には、前記チップアイス貯蔵部から滑り落ちてくる前記チップアイスの落下衝突面を設けたことを特徴とするアイス供給シュータ。
【請求項２】
前記落下衝突面を平面部で構成したことを特徴とする請求項１に記載のアイス供給シュータ。
【請求項３】
前記筒状部を平面部から構成される角形状としたことを特徴とする請求項１または請求項２に記載のアイス供給シュータ。
【請求項４】
前記平面部を弾性変形可能な材質で構成したことを特徴とする請求項１乃至請求項３の何れか一つに記載のアイス供給シュータ。
【請求項５】
前記筒状部を屈曲させたことを特徴とする請求項１乃至請求項４の何れか一つに記載のアイス供給シュータ。
【発明の詳細な説明】
【技術分野】
【０００１】
本発明は、アイスコーヒー等の氷入りのコールド飲料にチップアイス（氷）を供給するアイス供給シュータに関し、特に、カップ式自動販売機等に備えられる製氷機からカップにチップアイスを供給するアイス供給シュータに関する。
【背景技術】
【０００２】
従来、カップ式自動販売機等でアイスコーヒー等の氷入りのコールド飲料にチップアイスを供給するアイス供給シュータが知られている。例えば、特許文献１の図１には、カップ式自動販売機に備えられたオーガ式製氷機のチップアイス貯蔵部（貯氷庫）に設けられている氷排出口のカバーに接続されたアイス供給シュータ（氷シュータ）が開示されている。このアイス供給シュータのノズル先端はカップに向けられており、アイスゲートが開いて氷排出口が開放されるとチップアイス貯蔵部に貯蔵されているチップアイスがアイス供給シュータ内を滑り落ちてノズル先端から吐出されてカップに入るようになっている。
【先行技術文献】
【特許文献】
【０００３】
【特許文献１】特開平７−６２５３号公報
【発明の概要】
【発明が解決しようとする課題】
【０００４】
しかしながら、上記従来の特許文献１のアイス供給シュータは、図５〜図８に示すように、アイス供給シュータ６が丸い筒状に構成されているため、チップアイス５がアイス供給シュータ６の内壁面６ａに沿って滑らかに回転しながら滑り落ちてカップＣに供給される（図８参照）。そのためにノズル４先端をカップＣに向けているにも関わらず、ノズル４先端から吐出されたチップアイス５の吐出方向が安定せずに四方八方へと吐出されるため、カップＣ内へのチップアイス５の落下位置が定まらず、ノズル４先端から吐出されたチップアイス５が意図しない方向に飛翔して、チップアイス５がカップＣの外にこぼれることがあった（図５参照）。また、アイス供給シュータ６の内壁面６ａを滑らかに滑り落ちるためにチップアイス５の落下速度が速くなり、勢い良くカップＣ内に吐出されたチップアイス５がカップＣ外へと飛び出してしまうことがあった。このため、チップアイス入りコールド飲料等の調製に支障をきたすことがあった。
【０００５】
本発明は、以上のような課題を解決するためになされたものであり、チップアイスを一定方向に安定して吐出し、かつ、チップアイスがカップ外へと飛び出すことがないアイス供給シュータを提供することを目的とする。
【課題を解決するための手段】
【０００６】
上記の目的を達成するために、本発明の請求項１に係るアイス供給シュータは、チップアイス貯蔵部に接続され、該チップアイス貯蔵部に貯蔵されているチップアイスを筒状部を滑り落として容器に供給するアイス供給シュータであって、
前記筒状部には、前記チップアイス貯蔵部から滑り落ちてくる前記チップアイスの落下衝突面を設けたことを特徴とする。
【０００７】
また、本発明の請求項２に係るアイス供給シュータは、上述した請求項１において、前記落下衝突面を平面部で構成したことを特徴とする。
また、本発明の請求項３に係るアイス供給シュータは、上述した請求項１または請求項２において、前記筒状部を平面部から構成される角形状としたことを特徴とする。
【０００８】
また、本発明の請求項４に係るアイス供給シュータは、上述した請求項１乃至請求項３の何れか一つにおいて、前記平面部を弾性変形可能な材質で構成したことを特徴とする。
また、本発明の請求項５に係るアイス供給シュータは、上述した請求項１乃至請求項４の何れか一つにおいて、前記筒状部を屈曲させたことを特徴とする。
【発明の効果】
【０００９】
請求項１の発明によれば、チップアイス貯蔵部に接続され、該チップアイス貯蔵部に貯蔵されているチップアイスを筒状部を滑り落として容器に供給するアイス供給シュータであって、前記筒状部には、前記チップアイス貯蔵部から滑り落ちてくる前記チップアイスの落下衝突面を設けたことにより、チップアイス貯蔵部から筒状部を滑り落ちてくるチップアイスが落下衝突面に衝突することで落下速度が抑えられ、供給されたチップアイスが容器（カップ）外へと飛び出すことを防ぐことが可能となる。
【００１０】
また、請求項２の発明によれば、前記落下衝突面を平面部で構成したことにより、平面部を滑り落ちるチップアイスが落下衝突面に衝突して平面部を滑ることで回転が抑えられるので、チップアイスを一定方向に安定して吐出することが可能となる。
【００１１】
また、請求項３の発明によれば、前記筒状部を平面部から構成される角形状としたことにより、筒状部を滑り落ちるチップアイスの回転がさらに抑えられるので、チップアイスを一定方向に安定して吐出することが可能となる。
【００１２】
また、請求項４の発明によれば、前記平面部を弾性変形可能な材質で構成したことにより、チップアイスが筒状部を滑り落ちる際に細かく砕かれることを防ぐことが可能となる。
【００１３】
また、請求項５の発明によれば、前記筒状部を屈曲させたことにより、滑り落ちるチップアイスが繰り返して筒状部内壁面に衝突することで、さらに落下速度を抑えることが可能となる。
【図面の簡単な説明】
【００１４】
【図１】本発明に係るアイス供給シュータの一例を示す概略斜視図である。
【図２】図１のＡ−Ａ線に沿った平断面図である。
【図３】図２のＢ−Ｂ線に沿った側断面図である。
【図４】図２の部分拡大平断面図である。
【図５】従来のアイス供給シュータを示す概略斜視図である。
【図６】図５のＣ−Ｃ線に沿った平断面図である。
【図７】図６のＤ−Ｄ線に沿った側断面図である。
【図８】図６の部分拡大平断面図である。
【発明を実施するための形態】
【００１５】
以下、図面を参照しながら、本発明に係るアイス供給シュータの好適な実施の形態を詳細に説明する。なお、この実施の形態によりこの発明が限定されるものではない。図１は本発明に係るアイス供給シュータの一例を示す概略斜視図である。図２は図１のＡ−Ａ線に沿った平断面図、図３は図２のＢ−Ｂ線に沿った側断面図、図４は図２の部分拡大平断面図である。
【００１６】
図１、図２、図３および図４に示すように、本発明に係るアイス供給シュータ３は、カップ式自動販売機等に備えられている製氷機（例えばオーガ式製氷機）のチップアイス貯蔵部１からカップ（容器）Ｃにチップアイス（氷）５を供給するものであって、チップアイス貯蔵部１の氷排出口（図示せず）を覆っているカバー（図示せず）にアイスパイプ２が接続されている。このアイスパイプ２にはアイス供給シュータ３が着脱可能に連結され、さらにアイス供給シュータ３にはノズル４が連結されている。これらアイスパイプ２、アイス供給シュータ３、ノズル４は弾性変形可能な材質（例えばポリプロピレン）で形成され、製氷機で生成した寸法５〜２０ｍｍ程度のチップアイス５をカップＣに吐出して供給可能としている。
【００１７】
アイス供給シュータ３は、筒状部３ａを平面部３ｂから構成される四角形状とし、平面部３ｂ其々の間にはコーナー３ｃが設けられている。また、筒状部３ａはその途中で屈曲部３ｄ、３ｅにより屈曲され、屈曲部３ｅの下方にはチップアイス貯蔵部１から滑り落ちてくるチップアイス５の落下衝突面３ｆが設けられ、この落下衝突面３ｆも平面部３ｂで構成されている。
【００１８】
そして、図示しない製氷機のアイスゲートが開いて氷排出口が開放されるとチップアイス貯蔵部１に貯蔵されているチップアイス５はアイスパイプ２からアイス供給シュータ３内を滑り落ちてノズル４先端から吐出されてカップＣに供給される。アイスパイプ２からアイス供給シュータ３内に滑り落ちたチップアイス５は、図３に示すように屈曲部３ｄ近傍の平面部３ｂに衝突して落下衝突面３ｆに落下し、さらに跳ね返って平面部３ｂに衝突することにより落下速度が抑制される。また、図４に示すように筒状部３ａを滑り落ちるチップアイス５の回転が平面部３ｂから構成される四角形状で抑えられ、平面部３ｂを回転することなく滑ってカップＣに供給されるので、チップアイス５を一定方向に安定して吐出し、かつ、チップアイス５がカップＣ外へと飛び出すことがないアイス供給シュータ３を提供することが可能となる。
【００１９】
以上のように、本実施形態のアイス供給シュータ３によれば、チップアイス貯蔵部１に接続され、該チップアイス貯蔵部１に貯蔵されているチップアイス５を筒状部３ａを滑り落としてカップＣ（容器）に供給するアイス供給シュータ３であって、筒状部３ａには、チップアイス貯蔵部１から滑り落ちてくるチップアイス５の落下衝突面３ｆを設けたことにより、チップアイス貯蔵部１から筒状部３ａを滑り落ちてくるチップアイス５が落下衝突面３ｆに衝突することで落下速度が抑えられ、供給されたチップアイス５がカップＣ外へと飛び出すことを防ぐことが可能となる。
【００２０】
また、落下衝突面３ｆを平面部３ｂで構成したことにより、平面部３ｂを滑り落ちるチップアイス５が落下衝突面３ｆに衝突して平面部３ｂを滑ることで回転が抑えられるので、チップアイス５を一定方向に安定して吐出することが可能となる。
【００２１】
また、筒状部３ａを平面部３ｂから構成される四角形状としたことにより、筒状部３ａを滑り落ちるチップアイス５の回転がさらに抑えられるので、チップアイス５を一定方向に安定して吐出することが可能となる。
【００２２】
また、平面部３ｂを弾性変形可能な材質で構成したことにより、チップアイス５が筒状部３ａを滑り落ちる際に細かく砕かれることを防ぐことが可能となる。
また、筒状部３ａを屈曲させたことにより、滑り落ちるチップアイス５が繰り返して筒状部３ａ内壁面に衝突することで、さらに落下速度を抑えることが可能となる。
【００２３】
なお、アイス供給シュータ３の筒状部３ａを平面部３ｂから構成される四角形状とし、平面部３ｂ其々の間にはコーナー３ｃを設けているのは、アイス供給シュータ３の形成を容易にし、また、筒状部３ａ内壁面の清掃性をよくするためであり、コーナー３ｃを設けなくとも筒状部３ａを滑り落ちるチップアイス５の回転を抑えることができるので、チップアイス５を一定方向に安定して吐出することが可能となる。
【符号の説明】
【００２４】
１      チップアイス貯蔵部
２      アイスパイプ
３      アイス供給シュータ
３ａ    筒状部
３ｂ    平面部
３ｃ    コーナー
３ｄ    屈曲部
３ｅ    屈曲部
３ｆ    落下衝突面
４      ノズル
５      チップアイス
Ｃ      カップ（容器）
【図１】
2011123555.tif 000003
【図２】
2011123555.tif 000004
【図３】
2011123555.tif 000005
【図４】
2011123555.tif 000006
【図５】
2011123555.tif 000007
【図６】
2011123555.tif 000008
【図７】
2011123555.tif 000009
【図８】
2011123555.tif 000010